(57)【要約】【課題】  本発明は、複数系統の映像による視覚効果を容易に目視確認させ得る記録再生装置を提案する。【解決手段】  入力される複数系統の映像データを記録媒体に記録し、当該記録媒体から読み出して再生する記録再生手段と、記録再生手段により再生された複数系統の映像データを外部からの指示に応じた方法で演算する演算手段と、演算手段による演算方法を示す文字列データを生成し、演算手段により演算された演算映像データと文字列データとを重畳することにより生成した重畳映像データを演算結果として出力する重畳手段とを設けるようにした。【選択図】        図１
2006261960.tif 000002
【特許請求の範囲】
【請求項１】
入力される複数系統の映像データを記録媒体に記録し、当該記録媒体から読み出して再生する記録再生手段と、
上記記録再生手段により再生された上記複数系統の映像データを外部からの指示に応じた方法で演算する演算手段と、
上記演算手段による演算方法を示す文字列データを生成し、上記演算手段により演算された演算映像データと上記文字列データとを重畳することにより生成した重畳映像データを演算結果として出力する重畳手段と
を具えることを特徴とする記録再生装置。
【請求項２】
上記演算手段は、
上記複数系統の映像データのうち、一の系統の映像データを上記演算映像データとする一方、上記外部からの指示に応じて、上記一の系統の映像データを他の系統の映像データに切り換えて、当該他の系統の映像データを上記演算映像データとする
ことを特徴とする請求項１に記載の記録再生装置。
【請求項３】
上記演算手段は、
上記演算映像データにおける所定の位置を、上記複数系統の映像データにおける一の系統の映像データと他の系統の映像データとの区切り位置として合成するように演算し、
上記重畳手段は、
上記一の系統の映像データと上記他の系統の映像データとの上記区切り位置を示すカーソルデータを生成し、当該カーソルデータを上記重畳映像データの上記区切り位置に重畳する
ことを特徴とする請求項１に記載の記録再生装置。
【請求項４】
上記演算手段は、
上記外部からの指示に応じて上記一の系統の映像データと上記他の系統の映像データとの上記区切り位置を変更するように演算し、
上記重畳手段は、
当該変更した上記区切り位置に上記カーソルデータを重畳する
ことを特徴とする請求項３に記載の記録再生装置。
【請求項５】
入力される複数系統の映像データを記録媒体に記録し、当該記録媒体から読み出して再生する記録再生ステップと、
上記記録再生ステップにおいて再生された上記複数系統の映像データを外部からの指示に応じた方法で演算する演算ステップと、
上記演算ステップにおける演算方法を示す文字列データを生成し、上記演算ステップにおいて演算された演算映像データと上記文字列データとを重畳することにより生成した重畳映像データを演算結果として出力する重畳ステップと
を具えることを特徴とする記録再生方法。
【請求項６】
記録再生装置に対して、
入力される複数系統の映像データを記録媒体に記録し、当該記録媒体から読み出して再生する記録再生ステップと、
上記記録再生ステップにおいて再生された上記複数系統の映像データを外部からの指示に応じた方法で演算する演算ステップと、
上記演算ステップにおける演算方法を示す文字列データを生成し、上記演算ステップにおいて演算された演算映像データと上記文字列データとを重畳することにより生成した重畳演算映像データを演算結果として出力する重畳ステップと
を実行させることを特徴とする記録再生プログラム。
【請求項７】
入力される右眼視映像データ及び左眼視映像データを記録媒体に記録し、当該記録媒体から読み出して再生する記録再生手段と、
上記記録再生手段により再生された上記右眼視映像データと上記左眼視映像データとを重ね合わせるようにして合成する合成手段と、
上記合成手段による合成方法を示す文字列データを生成し、上記合成手段により合成された合成映像データと上記文字列データとを重畳することにより生成した重畳映像データを合成結果として出力する重畳手段と
を具えることを特徴とする立体映像視覚効果確認装置。
【請求項８】
上記合成手段は、
上記右眼視映像データと上記左眼視映像データとを重ね合わせるようにして合成すると共に、上記右眼視映像データと上記左眼視映像データとの差分の絶対値を算出し、当該差分の絶対値が所定の閾値以上の部分を強調表示する
ことを特徴とする請求項７に記載の立体映像視覚効果確認装置。
【請求項９】
入力される右眼視映像データ及び左眼視映像データを記録媒体に記録し、当該記録媒体から読み出して再生する記録再生ステップと、
上記記録再生ステップにおいて再生した上記右眼視映像データと上記左眼視映像データとを重ね合わせるようにして合成する合成ステップと、
上記合成ステップにおける合成方法を示す文字列データを生成し、上記合成ステップにおいて合成した合成映像データと上記文字列データとを重畳することにより生成した重畳映像データを合成結果として出力する重畳ステップと
を具えることを特徴とする立体映像視覚効果確認方法。
【請求項１０】
上記合成ステップでは、
上記右眼視映像データと上記左眼視映像データとを重ね合わせるようにして合成すると共に、上記右眼視映像データと上記左眼視映像データとの差分の絶対値を算出し、当該差分の絶対値が所定の閾値以上の部分を強調表示する
ことを特徴とする請求項９に記載の立体映像視覚効果確認方法。
【発明の詳細な説明】
【技術分野】
【０００１】
本発明は、記録再生装置及び立体映像視覚効果確認装置に関し、例えば複数系統の映像データを記録し、当該映像データに基づく映像を再生する記録再生装置に適用して好適なものである。
【背景技術】
【０００２】
従来、複数のユーザからそれぞれ映像の再生要求を受けると、複数の記録媒体に記録された複数の映像データのうち、それぞれユーザ所望の複数の映像データを読み出して、直ちに当該複数の映像データに基づく複数の映像をそれぞれのユーザへ提供する多チャンネル再生装置が広く普及している。
【０００３】
しかしながらこのような多チャンネル再生装置においては、複数のユーザからそれぞれ映像の再生要求を受け付けてから、当該再生要求に対応した複数の映像データをそれぞれの記録媒体から読み出して出力するまでには、一定の待ち時間を必要とするという問題があった。
【０００４】
かかる問題を解決する１つの方法として、複数の記録媒体と並列に配置された複数のバッファに、当該複数の記録媒体に記録された複数の映像データにおける所定の先頭データを記憶しておき、複数のユーザからの再生要求がなされると直ちにバッファに記憶された先頭データを転送することにより、待ち時間なく所望する映像データに基づく映像を複数のユーザに提供し得るようになされた多チャンネル再生装置が提案されている（例えば特許文献１参照）。
【特許文献１】特開平８−９３３５号公報
【発明の開示】
【発明が解決しようとする課題】
【０００５】
ところで、かかる構成の多チャンネル再生装置において、一のユーザが各チャンネルの映像を同時に確認するためには、当該ユーザが各チャンネルの映像を同期させるように再生要求を出さなければならず、また各チャンネルの映像を同時に表示するに際し、当該各チャンネルの映像に色変換や画像変換等の特殊効果をそれぞれ施すには、そのためのスイッチャ及びエフェクタなどの外部装置を設けなければならないという問題がある。
【０００６】
また多チャンネル再生装置においては、各チャンネルの映像をそれぞれ別の複数の表示部に表示するようになされているため、色変換や画像変換等の特殊効果を施したときには、当該特殊効果を確認するためにそれぞれの表示部の色調や明るさ等の設定を完全に一致させなければならず、さらに別々の表示部では各チャンネルの映像を合成するようなときに、当該合成したときの視覚効果を直接目視確認することができないという問題がある。
【０００７】
本発明は以上の点を考慮してなされたもので、複数系統の映像による視覚効果を容易に目視確認させ得る記録再生装置及び立体映像視覚効果確認装置を提案しようとするものである。
【課題を解決するための手段】
【０００８】
かかる課題を解決するために本発明においては、入力される複数系統の映像データを記録媒体に記録し、当該記録媒体から読み出して再生する記録再生手段と、記録再生手段により再生された複数系統の映像データを外部からの指示に応じた方法で演算する演算手段と、演算手段による演算方法を示す文字列データを生成し、演算手段により演算された演算映像データと文字列データとを重畳することにより生成した重畳映像データを演算結果として出力する重畳手段とを設けるようにした。
【０００９】
従って、複数系統の映像データに対応した映像を表示するための複数の表示手段を用意する必要がなく、１つの表示手段に対して重畳映像データを演算結果として出力するだけで演算結果と演算方法を示す文字列とを重畳した重畳映像をユーザに目視確認させることができる。
【００１０】
また、入力される複数系統の映像データを記録媒体に記録し、当該記録媒体から読み出して再生する記録再生ステップと、記録再生ステップにおいて再生された複数系統の映像データを外部からの指示に応じた方法で演算する演算ステップと、演算ステップにおける演算方法を示す文字列データを生成し、演算ステップにおいて演算された演算映像データと文字列データとを重畳することにより生成した重畳映像データを演算結果として出力する重畳ステップとを設けるようにした。
【００１１】
従って、複数系統の映像データに対応した映像を表示するための複数の表示手段を用意する必要がなく、１つの表示手段に対して重畳映像データを演算結果として出力するだけで演算結果と演算方法を示す文字列とを重畳した重畳映像をユーザに目視確認させることができる。
【００１２】
さらに、記録再生装置に対して、プログラムによって、入力される複数系統の映像データを記録媒体に記録し、当該記録媒体から読み出して再生する記録再生ステップと、記録再生ステップにおいて再生された複数系統の映像データを外部からの指示に応じた方法で演算する演算ステップと、演算ステップにおける演算方法を示す文字列データを生成し、演算ステップにおいて演算された演算映像データと文字列データとを重畳することにより生成した重畳演算映像データを演算結果として出力する重畳ステップとを実行させるようにした。
【００１３】
従って、複数系統の映像データに対応した映像を表示するための複数の表示手段を用意する必要がなく、１つの表示手段に対して重畳映像データを演算結果として出力するだけで演算結果と演算方法を示す文字列とを重畳した重畳映像をユーザに目視確認させることができる。
【００１４】
さらに、入力される右眼視映像データ及び左眼視映像データを記録媒体に記録し、当該記録媒体から読み出して再生する記録再生手段と、記録再生手段により再生された右眼視映像データと左眼視映像データとを重ね合わせるようにして合成する合成手段と、演算手段による合成方法を示す文字列データを生成し、合成手段により合成された合成映像データと文字列データとを重畳することにより生成した重畳映像データを合成結果として出力する重畳手段とを設けるようにした。
【００１５】
従って、複数系統の映像データに対応した映像を表示するための複数の表示手段を用意する必要がなく、１つの表示手段に対して重畳映像データを合成結果として出力するだけで合成結果と合成方法を示す文字列とを重畳した重畳映像をユーザに目視確認させることができると共に、重畳映像データを合成結果として出力するだけで立体映像における飛び出して見える部分を簡易かつその場でユーザに目視確認させることができる。
【００１６】
さらに、入力される右眼視映像データ及び左眼視映像データを記録媒体に記録し、当該記録媒体から読み出して再生する記録再生ステップと、記録再生ステップにおいて再生した右眼視映像データと左眼視映像データとを重ね合わせるようにして合成する合成ステップと、合成ステップにおける合成方法を示す文字列データを生成し、合成ステップにおいて合成した合成映像データと文字列データとを重畳することにより生成した重畳映像データを合成結果として出力する重畳ステップとを設けるようにした。
【００１７】
従って、複数系統の映像データに対応した映像を表示するための複数の表示手段を用意する必要がなく、１つの表示手段に対して重畳映像データを合成結果として出力するだけで合成結果と合成方法を示す文字列とを重畳した重畳映像をユーザに目視確認させることができると共に、重畳映像データを合成結果として出力するだけで立体映像における飛び出して見える部分を簡易かつその場でユーザに目視確認させることができる。
【発明の効果】
【００１８】
本発明によれば、複数系統の映像データを外部からの指示に応じた方法で演算し、演算方法を示す文字列データを生成して、演算映像データと当該文字列データとを重畳することにより生成した重畳映像データを演算結果として出力することにより、複数系統の映像データに対応した映像を表示するための複数の表示手段を用意する必要がなく、１つの表示手段に対して重畳映像データを演算結果として出力するだけで演算結果と演算方法を示す文字列とを重畳した重畳映像をユーザに目視確認させることができ、かくして複数系統の映像による視覚効果を容易に目視確認させ得る記録再生装置及び方法並びにプログラムを実現できる。
【００１９】
また、右眼視映像データと左眼視映像データとを重ね合わせるようにして合成し、合成方法を示す文字列データを生成して、合成映像データと当該文字列データとを重畳することにより生成した重畳合成映像データを合成結果として出力することにより、複数系統の映像データに対応した映像を表示するための複数の表示手段を用意する必要がなく、１つの表示手段に対して重畳映像データを合成結果として出力するだけで合成結果と合成方法を示す文字列とを重畳した重畳映像をユーザに目視確認させることができると共に、重畳映像データを合成結果として出力するだけで立体映像における飛び出して見える部分を簡易かつその場でユーザに目視確認させることができ、かくして複数系統の映像による視覚効果を容易に目視確認させ得る立体映像視覚効果確認装置及び方法を実現できる。
【発明を実施するための最良の形態】
【００２０】
以下図面について、本発明の一実施の形態を詳述する。
【００２１】
（１）本実施の形態による記録再生装置の全体構成
図１において、１は全体として本実施の形態による可搬型の記録再生装置を示し、第１の撮像部２及び第２の撮像部３から入力された複数の映像信号に基づく映像データを例えば磁気テープでなる記録媒体４に記録する一方、当該記録媒体４から複数の映像データを再生して出力し得るようになされている。
【００２２】
実際上、第１の撮像部２は、被写体の光学像を電気信号に変換することにより得られたアナログ波形の映像信号に対して、所定のサンプリングレートのディジタル信号に変換し、その結果得られた第１の映像データＤ１を記録再生装置１の第１の入力部５へ送出する。また第２の撮像部３は、上述の第１の撮像部２と同様のアナログ／ディジタル変換処理を施し、この結果得られた第２の映像データＤ２を記録再生装置１の第２の入力部６へ送出する。
【００２３】
第１の入力部５は、第１の撮像部２から供給された第１の映像データＤ１を例えば４４０［Mbps］の転送速度で記録再生部７へ送出する。また第２の入力部６は、上述の第１の出力部５と同様に第２の映像データＤ２を４４０［Mbps］の転送速度で記録再生部７へ送出する。
【００２４】
ところで、記録再生装置１においては、記録ボタン、再生ボタン及び停止ボタン等の他に、各種設定を行うためのメニューボタン、メニュー選択用のジョグレバー及び後述する複数の映像演算用ボタン等を有する操作部８が設けられており、当該操作部８を介してこれら各種操作ボタンが操作されると、これに応じた操作データＤ３を制御部９へ送出する。
【００２５】
制御部９は、記録再生装置１全体の制御を司る図示しないＣＰＵ（Central Processing Unit）と、各種制御プログラムが格納されたＲＯＭ（Read Only Memory）と、ＣＰＵのワークメモリとしてのＲＡＭ（Random Access Memory）とを含むマイクロコンピュータ構成でなり、例えば操作部８の記録ボタンが操作されて、当該記録ボタンに応じた操作データＤ３が供給されると、タイミング同期部１０を制御することにより、当該タイミング同期部１０において、タイミング同期データＤ４を生成し、当該タイミング同期データＤ４を第１の入力部５及び第２の入力部６へ送出する。
【００２６】
これにより記録再生装置１では、タイミング同期データＤ４に従って、第１の撮像部２及び第２の撮像部３から供給された第１の映像データＤ１及び第２の映像データＤ２を同期させることによって、当該第１の映像データＤ１及び第２の映像データＤ２を同時に記録再生部７へ送出し得るようになされている。
【００２７】
図２に示すように、記録再生部７は、第１の記録再生部７Ａ、第２の記録再生部７Ｂ、合成分離部７Ｃ及び単一の磁気ヘッド７Ｄから構成されており、第１の記録再生部７Ａは、第１の映像データＤ１に対して、ＭＰＥＧ２（Moving Picture Experts Group Phase 2）等の所定の圧縮符号化規格に基づいて圧縮符号化し、その結果得られた第１の映像符号化データＤ５を合成分離部７Ｃへ送出する。また第２の記録再生部７Ｂは、第２の映像データＤ２に対して、上述の第１の記録再生部７Ａと同様の圧縮符号化処理を施し、この結果得られた第２の映像符号化データＤ６を合成分離部７Ｃへ送出する。
【００２８】
合成分離部７Ｃは、第１の記録再生部７Ａ及び第２の記録再生部７Ｂから同時に供給された第１の映像符号化データＤ５及び第２の映像符号化データＤ６をそれぞれフィールド単位で合成して、この結果得られた合成映像符号化データＤ７を例えば８８０［Mbps］に応じた走行速度で所定方向に駆動させた記録媒体４に磁気ヘッド７Ｄを介して同時に記録する。
【００２９】
すなわち合成分離部７Ｃは、合成映像符号化データＤ７のうち例えば第１の映像符号化データＤ５における（Ｎ−１）番目のフレーム（（N-1）Frame）の奇数フィールド（1stField）、第２の映像符号化データＤ６における（Ｎ−１）番目のフレーム（（N-1）Frame）の奇数フィールド（1stField）を同時に記録媒体４に記録し、この後第１の映像符号化データＤ５における（Ｎ−１）番目のフレーム（（N-1）Frame）の偶数フィールド（2ndField）、第２の映像符号化データＤ６における（Ｎ−１）番目のフレーム（（N-1）Frame）の偶数フィールド（2ndField）を同時に記録媒体４に記録する。
【００３０】
そして合成分離部７Ｃは、この後第１の映像符号化データＤ５における（Ｎ）番目のフレーム（（N）Frame）の奇数フィールド（1stField）、第２の映像符号化データＤ６における（Ｎ）番目のフレーム（（N）Frame）の奇数フィールド（1stField）を同時に記録媒体４に記録し、これ以降に与えられる合成映像符号化データＤ７においてもそれぞれ上述と同様に順次記録媒体４に記録するようになされている。
【００３１】
一方、図１のように制御部９は、操作部８の再生ボタンが操作されて、当該再生ボタンに応じた操作データＤ３が供給されると、記録再生部７を制御することにより、記録媒体４に記録された合成映像符号化データＤ７を読み出させる。
【００３２】
すなわち、図２のように記録再生部７の合成分離部７Ｃは、例えば第１の映像符号化データＤ５における（Ｎ−１）番目のフレーム（（N-1）Frame）の奇数フィールド（1stField）、第２の映像符号化データＤ６における（Ｎ−１）番目のフレーム（（N-1）Frame）の奇数フィールド（1stField）を同時に記録媒体４から読み出し、これ以降の合成映像符号化データＤ７においてもそれぞれ上述と同様に順次記録媒体４から読み出すようになされている。
【００３３】
また合成分離部７Ｃは、記録媒体４から同時に読み出される第１の映像符号化データＤ５における（Ｎ−１）番目のフレーム（（N-1）Frame）の奇数フィールド（1stField）、第２の映像符号化データＤ６における（Ｎ−１）番目のフレーム（（N-1）Frame）の奇数フィールド（1stField）を分離し、これ以降の合成映像符号化データＤ７においてもそれぞれ上述と同様に順次分離することによって、第１の映像符号化データＤ５及び第２の映像符号化データＤ６を再構成し、第１の映像符号化データＤ５を第１の記録再生部７Ａへ送出し、第２の映像符号化データＤ６を第２の記録再生部７Ｂへ送出する。
【００３４】
第１の記録再生部７Ａは、第１の映像符号化データＤ５に対応した復号化規格に基づいて復号化し、この結果得られた第１の映像復号化データＤ８を第１の出力部１１（図１）を介して例えば高解像度のカラー液晶ディスプレイでなる第１の表示部１３（図１）に出力する。また第２の記録再生部７Ｂは、第２の映像符号化データＤ６を上述の第１の記録再生部７Ａと同様の復号化処理を施し、この結果得られた第２の映像復号化データＤ９を、図１に示すように、第２の出力部１２を介して第１の表示部１３と同様の構成でなる第２の表示部１４に出力する。
【００３５】
これにより記録再生装置１では、第１の映像復号化データＤ８に基づく第１の映像を第１の表示部１３に表示させ、第２の映像復号化データＤ９に基づく第２の映像を第２の表示部１４に表示させ得るようになされている。
【００３６】
かかる構成に加えてこの記録再生装置１には、演算部１５、ルックアップテーブル（Look Up Table）１６、表示用文字列生成部１７、重畳部１８及び第３の出力部１９が設けられており、記録再生部７から供給された第１の映像復号化データＤ８及び第２の映像復号化データＤ９を演算部１５に対しても送出するようになされている。
【００３７】
このとき制御部９は、操作部８を介して複数の映像演算用ボタンのうち所定の映像演算用ボタンが操作されて、当該映像演算用ボタンに応じた操作データＤ３が供給されると、演算部１５を制御することにより、当該演算部１５において、記録再生部７から供給された第１の映像復号化データＤ８と第２の映像復号化データＤ９とに対して所定の演算処理を施し、この結果得られた演算映像データＤ１０をルックアップテーブル１６へ送出する。
【００３８】
また制御部９は、演算部１５において、所定の映像演算用ボタンの操作に応じた演算の方法を示す演算方法明示データＤ１１を生成し、当該演算方法明示データＤ１１を表示用文字列生成部１７へ送出する。
【００３９】
ルックアップテーブル１６は、演算映像データＤ１０に対して所定のテーブルを用いることにより色変換や画像変換等の種々のデータ変換処理を施し、この結果得られた変換演算映像データＤ１２を重畳部１８へ送出する。
【００４０】
表示用文字列生成部１７は、演算方法明示データＤ１１に基づいて所定の映像演算用ボタンの操作に応じた文字列を明示するための所定の表示用文字列データＤ１３を生成し、当該表示用文字列データＤ１３を重畳部１８へ送出する。
【００４１】
重畳部１８は、ルックアップテーブル１６から供給された変換演算映像データＤ１２と、表示用文字列生成部１７から供給された表示用文字列データＤ１３とに対して、例えばスーパーインポーズ等の重畳処理を施し、この結果得られた重畳演算映像データＤ１４を第３の出力部１９を介して第１の表示部１３と同様の構成でなる第３の表示部２０へ出力する。これにより記録再生装置１では、重畳演算映像データＤ１４に基づく重畳演算映像を第３の表示部２０に表示させ得るようになされている。
【００４２】
ちなみに記録再生装置１においては、第１の表示部１３、第２の表示部１４及び第３の表示部２０を収録環境に応じて自在に接続する、又は取り外すことができるようになされている。
【００４３】
このとき制御部９は、タイミング同期部１０を制御することにより、当該タイミング同期部１０において、タイミング同期データＤ４を生成し、当該タイミング同期データＤ４を第１の出力部１１、第２の出力部１２及び第３の出力部１９へ送出する。
【００４４】
これにより記録再生装置１では、タイミング同期データＤ４に従って、記録再生部７から供給された第１の映像復号化データＤ８及び第２の映像復号化データＤ９並びに重畳部１８から供給された重畳演算映像データＤ１４を同期させることによって、当該第１の映像復号化データＤ８、第２の映像復号化データＤ９及び重畳演算映像データＤ１４を同時に第１の表示部１３、第２の表示部１４及び第３の表示部２０に出力させ得るようになされている。
【００４５】
このようにして記録再生装置１では、第１の映像復号化データＤ８及び第２の映像復号化データＤ９の演算結果に基づく変換演算映像データＤ１２と表示用文字列データＤ１３とを重畳することにより生成した重畳演算映像データＤ１４を第３の表示部２０へ出力することにより、第１の映像を表示する第１の表示部１３、第２の映像を表示する第２の表示部１４といったような複数の表示部を用いる必要がなく、第３の表示部２０に対して重畳演算映像データＤ１４を演算結果として出力するだけで演算結果を示す変換演算映像データＤ１２と演算方法を示す表示用文字列データＤ１３とを重畳した重畳演算映像をユーザに目視確認させることができる。
【００４６】
（２）記録再生装置１による各種制御処理手順
次に、この記録再生装置１により実行される各種制御処理手順について説明する。
【００４７】
（２−１）出力切換制御処理手順
この記録再生装置１においては、重畳演算映像データＤ１４に基づく重畳演算映像、すなわち第１の映像復号化データＤ８に対応する第１の重畳映像及び第２の映像復号化データＤ９に対応する第２の重畳映像を第３の表示部２０に順次切り換えて表示するための出力切換制御処理手順について、図３のフローチャートを用いて説明する。
【００４８】
記録再生装置１の制御部９は、操作部８の映像演算用ボタンのうち出力切換ボタンが操作されて、当該出力切換ボタンに応じた操作データＤ３が供給されると、出力切換モードに遷移して、予め当該制御部９のＲＯＭ（図示せず）に格納された出力切換制御プログラムに従って、出力切換制御処理手順を実行するようになされており、ルーチンＲＴ１の開始ステップから入って次のステップＳＰ１へ移る。
【００４９】
ステップＳＰ１において記録再生装置１の制御部９は、演算部１５において、例えば第１の映像復号化データＤ８を『Ａ』、第２の映像復号化データＤ９を『Ｂ』とすると、次式
【００５０】
【数１】
2006261960.tif 000003
【００５１】
となるように演算する。ここで、ｆ（Ａ，Ｂ）は、『Ａ』と『Ｂ』との２変数の関数を示し、ＡｏｒＢは、Ａ又はＢを出力するということを示している。すなわち制御部９は、入力された第１の映像復号化データＤ８又は第２の映像復号化データＤ９のいずれか一方を演算映像データＤ１０とし、次のステップＳＰ２へ移る。ちなみに制御部９は、初期設定として第１の映像復号化データＤ８を演算映像データＤ１０とするようになされている。
【００５２】
ステップＳＰ２において記録再生装置１の制御部９は、ルックアップテーブル１６において、演算映像データＤ１０に対して、次式
【００５３】
【数２】
2006261960.tif 000004
【００５４】
となるようにデータ変換する。この場合、制御部９は、演算映像データＤ１０をそのまま変換演算映像データＤ１２とし、次のステップＳＰ３へ移る。
【００５５】
ステップＳＰ３において記録再生装置１の制御部９は、表示用文字列生成部１７において、出力切換ボタンの操作に応じて生成された演算方法明示データＤ１１に基づいて『出力切換』という文字列からなる表示用文字列データＤ１３と、『第１の映像』又は『第２の映像』という文字列からなる表示用文字列データＤ１３とをそれぞれ生成し、次のステップＳＰ４へ移る。
【００５６】
ステップＳＰ４において記録再生装置１の制御部９は、重畳部１８において、変換演算映像データＤ１２と表示用文字列データＤ１３とを重畳する。すなわち制御部９は、変換演算映像データＤ１２における第１の映像復号化データＤ８に対応するデータに『第１の映像』及び『出力切換』の表示用文字列データＤ１３を重畳し、又は第２の映像復号化データＤ９に対応するデータに『第２の映像』及び『出力切換』の表示用文字列データＤ１３を重畳することにより重畳演算映像データＤ１４を生成し、次のステップＳＰ５へ移る。
【００５７】
ステップＳＰ５において記録再生装置１の制御部９は、第３の出力部１９において、重畳演算映像データＤ１４を第３の表示部２０へ出力し、図４に示すように、重畳演算映像データＤ１４に基づく重畳演算映像Ｍ１を第３の表示部２０に表示させる。
【００５８】
具体的に制御部９は、初期設定として第１の映像復号化データＤ８に基づく第１の重畳映像Ｍ１Ａを表示させるようになされている。このとき制御部９は、図４からも明らかなように、表示用文字列データＤ１３に基づく『第１の映像』の文字列からなる第１の映像表示用文字列Ｃ１を第１の重畳映像Ｍ１Ａの左下部に重畳し、表示用文字列データＤ１３に基づく『出力切換』の文字列からなる出力切換表示用文字列Ｃ２を第１の重畳映像Ｍ１Ａの左上部に重畳している。このように制御部９は、第１の重畳映像Ｍ１Ａを第３の表示部２０に表示させて、次のステップＳＰ６へ移る。
【００５９】
因みに、図４における白色部分Ｐ１については、例えば画素の輝度レベルが「０」〜「２５５」の２５６階調で示されたときに輝度レベル「２５５」を示し、第１のハッチング部分Ｐ２については、輝度レベル「２２３」を示し、第２のハッチング部分Ｐ３については、輝度レベル「０」を示している。
【００６０】
ステップＳＰ６において記録再生装置１の制御部９は、この後さらに出力切換ボタンが操作されて、当該出力切換ボタンに応じた操作データＤ３が供給されたか否かを判断し、出力切換ボタンが操作されてない場合にはステップＳＰ８へ移り、出力切換ボタンが操作された場合には次のステップＳＰ７へ移る。
【００６１】
ステップＳＰ７において記録再生装置１の制御部９は、図５に示すように、操作部８の出力切換ボタンが操作された場合には、第３の表示部２０での表示を図５（Ａ）に示す第１の重畳映像Ｍ１Ａから、図５（Ｂ）に示す第２の映像復号化データＤ９に基づく第２の重畳映像Ｍ１Ｂに切り換え、又は第２の重畳映像Ｍ１Ｂから第１の重畳映像Ｍ１Ａに切り換え、次のステップＳＰ８へ移る。
【００６２】
このとき制御部９は、図５（Ｂ）からも明らかなように、表示用文字列データＤ１３に基づく『第２の映像』の文字列からなる第２の映像表示用文字列Ｃ３を第２の重畳映像Ｍ１Ｂの右下部に重畳し、出力切換表示用文字列Ｃ２を第２の重畳映像Ｍ１Ｂの左上部に重畳している。
【００６３】
このように記録再生装置１では、第１の重畳映像Ｍ１Ａに第１の映像表示用文字列Ｃ１を重畳し、第２の重畳映像Ｍ１Ｂに第２の映像表示用文字列Ｃ３を重畳しているため、第１の重畳映像Ｍ１Ａと第２の重畳映像Ｍ１Ｂとを誤認させることなくユーザに目視確認させることができる。また記録再生装置１では、第１の重畳映像Ｍ１Ａ及び第２の重畳映像Ｍ１Ｂに出力切換表示用文字列Ｃ２を重畳しているため、出力切換モードであることを誤認させることなくユーザに目視確認させることができる。
【００６４】
ステップＳＰ８において記録再生装置１の制御部９は、操作部８の停止ボタンが操作されて、当該停止ボタンに応じた操作データＤ３が供給されたか否かを判断し、停止ボタンが操作されてないときにはステップＳＰ１に戻り、停止ボタンが操作されたときには、次のステップＳＰ９へ移って処理を終了する。
【００６５】
（２−２）ワイプ（Wipe）制御処理手順
一方、この記録再生装置１においては、第３の表示部２０の所定の位置を区切り位置として、当該第３の表示部２０の左側領域に第１の重畳映像の左側部分を表示すると共に、右側領域に第２の重畳映像の右側部分を表示するためのワイプ制御処理手順について、図６のフローチャートを用いて説明する。
【００６６】
記録再生装置１の制御部９は、操作部８の映像演算用ボタンのうちワイプボタンが操作されて、当該ワイプボタンに応じた操作データＤ３が供給されると、ワイプモードに遷移して、予め当該制御部９のＲＯＭ（図示せず）に格納されたワイプ制御プログラムに従って、ワイプ制御処理手順を実行するようになされており、ルーチンＲＴ２の開始ステップから入って次のステップＳＰ１１へ移る。
【００６７】
ステップＳＰ１１において記録再生装置１の制御部９は、演算部１５において、例えば第１の映像復号化データＤ８を『Ａ』、第２の映像復号化データＤ９を『Ｂ』とし、第３の表示部２０の横方向の画面長さを『Ｍ』、第１の映像復号化データＤ８と第２の映像復号化データＤ９との横方向の区切り位置を『ｍ』、横方向の位置座標を『ｘ』（０≦ｘ≦Ｍ）とすると、次式
【００６８】
【数３】
2006261960.tif 000005
【００６９】
となるように合成演算する。ここで、ｇ（Ａ，ｍ−ｘ）は、（ｍ−ｘ）が「０」より大きい画面領域を、『Ａ』として表示し、（ｍ−ｘ）が「０」以下の画面領域を、『０』、すなわち表示しないことを示している。また、ｇ（Ｂ，ｘ−ｍ）は、（ｘ−ｍ）が「０」以上の画面領域を、『Ｂ』として表示し、（ｘ−ｍ）が「０」より小さい画面領域を、『０』、すなわち表示しないことを示している。すなわちこのことは、『ｍ』を区切り位置として、第３の表示部２０の画面領域のうち『ｍ』の左側部分の画面領域を第１の映像復号化データＤ８、『ｍ』の右側部分の画像領域を第２の映像復号化データＤ９とすることを示している。
【００７０】
このように制御部９は、所定の位置を区切り位置として第１の映像復号化データＤ８と第２の映像復号化データＤ９とを合成演算して演算映像データＤ１０を生成し、次のステップＳＰ１２へ移る。
【００７１】
ステップＳＰ１２において記録再生装置１の制御部９は、ルックアップテーブル１６において、演算映像データＤ１０に対して、次式
【００７２】
【数４】
2006261960.tif 000006
【００７３】
となるようにデータ変換する。この場合、制御部９は、演算映像データＤ１０をそのまま変換演算映像データＤ１２とし、次のステップＳＰ１３へ移る。
【００７４】
ステップＳＰ１３において記録再生装置１の制御部９は、表示用文字列生成部１７において、ワイプボタンの操作に応じて生成された演算方法明示データＤ１１に基づいて『第１の映像』、『第２の映像』及び『ワイプ』という文字列からなる表示用文字列データＤ１３をそれぞれ生成すると共に、第１の映像復号化データＤ８と第２の映像復号化データＤ９との区切り位置を示すカーソルデータＤ１５（図１）を生成し、次のステップＳＰ１４へ移る。
【００７５】
ステップＳＰ１４において記録再生装置１の制御部９は、重畳部１８において、変換演算映像データＤ１２と表示用文字列データＤ１３及びカーソルデータＤ１５とを重畳する。すなわち制御部９は、変換演算映像データＤ１２のうち第１の映像復号化データＤ８に対応するデータに『第１の映像』及び『ワイプ』の文字列の表示用文字列データＤ１３を重畳し、第２の映像復号化データＤ９に対応するデータに『第２の映像』の文字列の表示用文字列データＤ１３を重畳し、第１の映像復号化データＤ８に対応するデータと第２の映像復号化データＤ９に対応するデータとの区切り位置にカーソルデータＤ１５を重畳することにより重畳演算映像データＤ１４を生成し、次のステップＳＰ１５へ移る。
【００７６】
ステップＳＰ１５において記録再生装置１の制御部９は、第３の出力部１９において、重畳演算映像データＤ１４を第３の表示部２０へ出力し、図７に示すように、重畳演算映像データＤ１４に基づく重畳演算映像Ｍ１を第３の表示部２０に表示させ、次のステップＳＰ１６へ移る。
【００７７】
具体的に制御部９は、第３の表示部２０における画面領域のうちカーソルデータＤ１５に基づくカーソルＣ４を区切り位置として、第１の重畳映像Ｍ１Ａの左側部分と第２の重畳映像Ｍ１Ｂの右側部分とを同時に表示させるようになされている。
【００７８】
このとき制御部９は、図７からも明らかなように、第１の映像表示用文字列Ｃ１を第１の重畳映像Ｍ１Ａの下部に重畳し、表示用文字列データＤ１３に基づく『ワイプ』の文字列からなるワイプ表示用文字列Ｃ５を第１の重畳映像Ｍ１Ａの上部に重畳し、第２の映像表示用文字列Ｃ３を第２の重畳映像Ｍ１Ｂの下部に重畳している。
【００７９】
ステップＳＰ１６において記録再生装置１の制御部９は、例えばワイプ制御処理中に操作部８のジョグレバーが左方向又は右方向に操作されて、当該ジョグレバーに応じた操作データＤ３が供給されたか否かを判断し、ジョグレバーが操作されてない場合にはステップＳＰ１８へ移り、ジョグレバーが操作された場合には次のステップＳＰ１７へ移る。
【００８０】
ステップＳＰ１７において記録再生装置１の制御部９は、図８（Ａ）に示すように、ジョグレバーが左方向に操作された場合には、第１の重畳映像Ｍ１Ａの左側部分を小さくし、第２の重畳映像Ｍ１Ｂの右側部分を大きくするように第３の表示部２０におけるカーソルＣ４の位置を変更し、又は図８（Ｂ）に示すように、ジョグレバーが右方向に操作された場合には、第１の重畳映像Ｍ１Ａの左側部分を大きくし、第２の重畳映像Ｍ１Ｂの右側部分を小さくするように第３の表示部２０におけるカーソルＣ４の位置を変更し、次のステップＳＰ１８へ移る。
【００８１】
このとき記録再生装置１では、第１の重畳映像Ｍ１Ａと第２の重畳映像Ｍ１Ｂとの間にはカーソルＣ４が重畳されているため、第１の重畳映像Ｍ１Ａと第２の重畳映像Ｍ１Ｂとの区切り箇所をユーザに認識させ、この結果カーソルＣ４の左側部分が第１の重畳映像Ｍ１Ａで、右側部分が第２の重畳映像Ｍ１Ｂであることを直感的にユーザに認識させることができる。
【００８２】
ステップＳＰ１８において記録再生装置１の制御部９は、操作部８の停止ボタンが操作されて、当該停止ボタンに応じた操作データＤ３が供給されたか否かを判断し、停止ボタンが操作されてないときにはステップＳＰ１１に戻り、停止ボタンが操作されたときには、次のステップＳＰ１９へ移って処理を終了する。
【００８３】
実際上、従来の記録再生装置では、第１の映像を表示する第１の表示部１３、第２の映像を表示する第２の表示部１４といったような複数の表示部を用意しなければならず、複数の映像をユーザに比較させるために、当該ユーザに複数の表示部の色調を全く同一に設定させなければならないという煩雑な操作を強いるという問題があった。
【００８４】
そこで記録再生装置１においては、カーソルＣ４を区切り位置として、第１の重畳映像Ｍ１Ａの左側部分と第２の重畳映像Ｍ１Ｂの右側部分とを同時に表示させることにより、１つの第３の表示部２０だけで第１の重畳映像Ｍ１Ａの左側部分と第２の重畳映像Ｍ１Ｂの右側部分とを同時に目視確認させることができるため、当該第１の重畳映像Ｍ１Ａと第２の重畳映像Ｍ１Ｂとの色調の差をユーザに瞬時に比較させることができる。
【００８５】
また、記録再生装置１においては、第１の重畳映像Ｍ１Ａと第２の重畳映像Ｍ１ＢとをカーソルＣ４を左右方向に移動させることにより第１の重畳映像Ｍ１Ａと第２の重畳映像Ｍ１Ｂとの画面領域を変更することができるため、とりわけカーソルＣ４の移動前の部分の映像と移動後の部分の映像との色調の差を一段と容易にユーザに目視確認させることができる。
【００８６】
（２−３）立体映像視覚効果確認処理制御手順
この場合、前提として記録再生装置１においては、第１の撮像部２と第２の撮像部３とを人間の眼幅程度の間隔、すなわち被写体からの距離に応じた適正な距離で、かつ第１の撮像部２と第２の撮像部３とを平行に配置するようになされており、第１の撮像部２により撮像された第１の映像データＤ１を左眼視映像データＤ１とし、第２の撮像部３により撮像された第２の映像データＤ２を右眼視映像データＤ２として用いるようになされている。
【００８７】
これをふまえて、この記録再生装置１においては、左眼視映像データＤ１及び右眼視映像データＤ２に基づく立体映像の視覚効果を確認するための立体映像視覚効果確認処理制御手順について、図９のフローチャートを用いて説明する。
【００８８】
この場合、記録再生装置１の制御部９は、映像演算用ボタンのうち立体映像視覚効果確認ボタンが操作されて、当該立体映像視覚効果確認ボタンに応じた操作データＤ３が供給されると、立体映像視覚効果確認モードに遷移して、予め当該制御部９の内部のＲＯＭ（図示せず）に格納された立体映像視覚効果確認制御プログラムに従って、立体映像視覚効果確認制御処理手順を実行するようになされており、ルーチンＲＴ３の開始ステップから入って次のステップＳＰ２１へ移る。
【００８９】
ステップＳＰ２１において記録再生装置１の制御部９は、演算部１５において、例えば左眼視映像データＤ１に基づく左眼視映像復号化データＤ８を『Ａ』、右眼視映像データＤ２に基づく右眼視映像復号化データＤ９を『Ｂ』とすると、次式
【００９０】
【数５】
2006261960.tif 000007
【００９１】
となるように合成演算する。このことは、入力される左眼視映像復号化データＤ８と右眼視映像復号化データＤ９とを重ね合わせるように合成すると共に、所定の画素ごとに差分の絶対値を算出することを示している。すなわち制御部９は、左眼視映像復号化データＤ８と右眼視映像復号化データＤ９とを合成演算して合成映像データＤ１０を生成し、次のステップＳＰ２２へ移る。
【００９２】
このとき、図１０に示す左眼視映像復号化データＤ８に基づく左眼視映像Ｍ２の被写体については、図１１に示す通常視映像Ｍ３の被写体に比して右側に傾いた映像となり、図１２に示す右眼視映像復号化データＤ９に基づく右眼視映像Ｍ４の被写体については、図１１に示す通常視映像Ｍ３に比して左側に傾いた映像となっている。
【００９３】
そして、図１３に示す合成映像データＤ１０に基づく合成映像Ｍ５については、左眼視映像Ｍ２の被写体と右眼視映像Ｍ４の被写体が重ね合わせるように合成されていると共に、左眼視映像復号化データＤ８と第２の映像復号化データＤ９との差分の絶対値が合成演算された両眼視差分映像となっている。因みに、図１２における第３のハッチング部分Ｐ４については、画素の輝度レベル「３２」を示している。
【００９４】
ステップＳＰ２２において記録再生装置１の制御部９は、ルックアップテーブル１６において、合成映像データＤ１０に対して、次式
【００９５】
【数６】
2006261960.tif 000008
【００９６】
となるようにデータ変換する。ここで、テーブルｇは、供給された映像のうち所定の閾値以上の輝度レベルを強調することを示すルックアップテーブルである。このとき制御部９は、例えばテーブルｇの閾値を「２００」とすると、当該画素の輝度レベルが「２００」以上の場合には、当該輝度レベルを「２５５」にデータ変換する一方、所定画素の輝度レベルが「２００」よりも小さい場合には、当該輝度レベルを「０」にデータ変換して変換合成映像データＤ１２を生成し、次のステップＳＰ２３へ移る。
【００９７】
このとき、図１４に示す変換合成映像データＤ１２に基づく変換映像Ｍ６については、上述のように「２００」以上の輝度レベルの画素を「２５５」に変換し、「２００」よりも小さい輝度レベルの画素を「０」に変換した両眼視差分映像となっている。
【００９８】
ステップＳＰ２３において記録再生装置１の制御部９は、立体映像視覚効果確認ボタンの操作に応じて生成された演算方法明示データＤ１１に基づいて、『立体映像視覚効果確認』という文字列からなる表示用文字列データＤ１３を生成し、次のステップＳＰ２４へ移る。
【００９９】
ステップＳＰ２４において記録再生装置１の制御部９は、変換合成映像データＤ１２と表示用文字列データＤ１３とを重畳する。すなわち制御部９は、変換合成映像データＤ１２に『立体映像視覚効果確認』の表示用文字列データＤ１３を重畳して立体視確認映像データＤ１４を生成して、次のステップＳＰ２５へ移る。
【０１００】
ステップＳＰ２５において記録再生装置１の制御部９は、立体視確認映像データＤ１４を第３の表示部２０へ送出し、図１５に示すように、立体視確認映像データＤ１４に基づく立体視確認映像Ｍ７を第３の表示部２０において表示させ、次のステップＳＰ２６へ移る。
【０１０１】
このとき、制御部９は、図１５からも明らかなように、表示用文字列データＤ１３に基づく『立体映像視覚効果確認』の文字列からなる立体映像視覚効果確認表示用文字列Ｃ６を立体視確認映像Ｍ７の左上部に重畳している。
【０１０２】
ステップＳＰ２６において記録再生装置１の制御部９は、操作部８の停止ボタンが操作されて、当該停止ボタンに応じた操作データＤ３が供給されたか否かを判断し、停止ボタンが操作されてないときにはステップＳＰ２１に戻り、停止ボタンが操作されたときには、次のステップＳＰ２７へ移って処理を終了する。
【０１０３】
実際上、従来の記録再生装置では、所定部分があたかも飛び出して見える立体映像を生成するにあたって、左眼視映像データＤ１及び右眼視映像データＤ２に対して特殊効果処理を施す必要があり、そのためには偏光メガネ等を含む専用の特殊効果処理装置を用いなければならない。とりわけ、従来の記録再生装置では、屋外における収録等において立体映像の視覚効果、すなわち立体映像における飛び出して見える部分（以下、これを立体視部分と呼ぶ）を目視確認することができないという問題があった。
【０１０４】
これに対してこの記録再生装置１では、左眼視映像データＤ１に基づく左眼視映像Ｍ２と右眼視映像データＤ２に基づく右眼視映像Ｍ４とを重ね合わせるようにして合成することにより、例えば外部における収録後に、専用の特殊効果処理装置を用いてしか視覚効果を確認できなかった立体映像における立体視部分を収録中に簡易かつその場でユーザに目視確認させることができる。
【０１０５】
このとき立体映像については、左眼視映像データＤ１に基づく左眼視映像Ｍ２と右眼視映像データＤ２に基づく右眼視映像Ｍ４との画素ごとにおける差分の絶対値が大きくなるほど、立体視部分が一段と飛び出して見えるという性質がある。
【０１０６】
そこで、この記録再生装置１では、左眼視映像データＤ１に基づく左眼視映像Ｍ２と右眼視映像データＤ２に基づく右眼視映像Ｍ４とを重ね合わせるようにして合成すると共に、左眼視映像データＤ１と右眼視映像データＤ２との差分の絶対値を算出し、当該差分の絶対値が所定の閾値以上の部分を強調表示し、当該合成結果に基づく変換合成映像データＤ１２と表示用文字列データＤ１３とを重畳することにより生成した立体視確認映像データＤ１４を第３の表示部２０へ出力することにより、立体視部分を一段と簡易かつ直感的にユーザに確認させることができる。
【０１０７】
このとき記録再生装置１においては、立体視部分を収録中にユーザに目視確認させながら記録再生することができ、また第１の撮像部２及び第２の撮像部３の配置及び位置を変えたときにも、立体視確認映像Ｍ７の視覚効果をその場でユーザに目視確認させながら記録再生することができるため、撮影しながら立体視部分の視覚効果を調整することができる。
【０１０８】
（３）動作及び効果
以上の構成において、この記録再生装置１では、第１の映像復号化データＤ８及び第２の映像復号化データＤ９の演算結果に基づく変換演算映像データＤ１２と表示用文字列データＤ１３とを重畳することにより生成した重畳演算映像データＤ１４を第３の表示部２０へ出力する。
【０１０９】
従って、第１の映像を表示する第１の表示部１３、第２の映像を表示する第２の表示部１４といったような複数の表示部を用意する必要がなく、第３の表示部２０に対して重畳演算映像データＤ１４を演算結果として出力するだけで演算結果を示す変換演算映像データＤ１２と演算方法を示す表示用文字列データＤ１３とを重畳した重畳演算映像をユーザに目視確認させることができる。
【０１１０】
またこの記録再生装置１では、カーソルＣ４を区切り位置として、第１の重畳映像Ｍ１Ａの左側部分と第２の重畳映像Ｍ１Ｂの右側部分とを同時に表示させることにより、第３の表示部２０だけで第１の重畳映像Ｍ１Ａの左側部分と第２の重畳映像Ｍ１Ｂの右側部分とを同時に目視確認させることができるため、当該第１の重畳映像Ｍ１Ａと第２の重畳映像Ｍ１Ｂとの色調の差をユーザに瞬時に比較させることができる。
【０１１１】
さらにこの記録再生装置１では、左眼視映像データＤ１に基づく左眼視映像Ｍ２と右眼視映像データＤ２に基づく右眼視映像Ｍ４とを重ね合わせるようにして合成すると共に、左眼視映像データＤ１と右眼視映像データＤ２との差分の絶対値を算出し、当該差分の絶対値が所定の閾値以上の部分を強調表示し、当該合成結果に基づく変換合成映像データＤ１２と表示用文字列データＤ１３とを重畳することにより生成した立体視映像データＤ１４を第３の表示部２０へ出力することにより、例えば外部における収録後に、専用の特殊効果処理装置を用いてしか視覚効果を確認できなかった立体映像における立体視部分を収録中に簡易かつその場でユーザに目視確認させることができる。
【０１１２】
以上の構成によれば、第１の映像復号化データＤ８及び第２の映像復号化データＤ９の演算結果に基づく変換演算映像データＤ１２と表示用文字列データＤ１３とを重畳することにより生成した重畳演算映像データＤ１４を第３の表示部２０へ出力することにより、第１の映像を表示する第１の表示部１３、第２の映像を表示する第２の表示部１４といったような複数の表示部を用意する必要がなく、第３の表示部２０に対して重畳演算映像データＤ１４を演算結果として出力するだけで演算結果を示す変換合成映像データＤ１２と演算方法を示す表示用文字列データＤ１３とを重畳した重畳演算映像をユーザに目視確認させることができ、かくして複数系統の映像による視覚効果を容易に目視確認させ得ることができる。
【０１１３】
（４）他の実施の形態
なお上述の実施の形態においては、第１の入力部５を介して入力される第１の映像データＤ１及び第２の入力部６を介して入力される第２の映像データＤ２の２系統の映像データを入力した場合について述べたが、本発明はこれに限らず、例えば３系統の映像データやそれ以上の系統の映像データを入力するようにしても良く、この他種々の複数系統の映像データを入力することができる。
【０１１４】
また上述の実施の形態においては、画素の輝度レベルが「２００」以上の場合には、当該輝度レベルを「２５５」にデータ変換する一方、画素の輝度レベルが「２００」よりも小さい場合には、当該輝度レベルを「０」にデータ変換した場合について述べたが、本発明はこれに限らず、例えば画素の輝度レベルが「１２８」以上の場合には、当該輝度レベルを「２５５」にデータ変換する一方、画素の輝度レベルが「２００」よりも小さい場合には、当該輝度レベルを「０」にデータ変換するようにしても良く、要は、所定の閾値以上の部分を強調表示するようにすれば良い。
【０１１５】
さらに上述の実施の形態においては、画素の輝度レベル「２００」以上の場合には、当該輝度レベルを「２５５」にデータ変換する一方、画素の輝度レベルが「２００」よりも小さい場合には、当該輝度レベルを「０」にデータ変換した場合について述べたが、本発明はこれに限らず、例えば画素の輝度レベルが「２００」以上の場合には、当該画素を赤色にデータ変換するようにしても良く、要は、所定の閾値以上の部分を強調表示するようにすれば良い。
【０１１６】
さらに上述の実施の形態においては、例えば第１の映像符号化データＤ５における（Ｎ−１）番目のフレーム（（N-1）Frame）の奇数フィールド（1stField）、第２の映像符号化データＤ６における（Ｎ−１）番目のフレーム（（N-1）Frame）の奇数フィールド（1stField）を同時に記録媒体４に記録し、又は同時に記録媒体４から読み出した場合について述べたが、本発明はこれに限らず、例えばフレーム毎に同時に記録し、又は読み出す等の複数系統の映像データを同時に記録し、又は読み出すこの他種々の方法を用いるようにしても良い。
【０１１７】
さらに上述の実施の形態においては、記録再生装置として可搬型の記録再生装置１に適用した場合について述べたが、本発明はこれに限らず、例えば据え置き型等のこの他種々の記録再生装置に適用することができる。
【０１１８】
さらに上述の実施の形態においては、第１の重畳映像Ｍ１Ａと第２の重畳映像Ｍ１Ｂとの色調の差をユーザに瞬時に比較させた場合について述べたが、本発明はこれに限らず、例えば第１の重畳映像Ｍ１Ａと第２の重畳映像Ｍ１Ｂとのコントラストや明るさ等のこの他種々のパラメータの差を比較させるようにしても良く、要は、１つの表示部だけで第１の映像と第２の映像との差を比較させるようにすれば良い。
【０１１９】
さらに上述の実施の形態においては、記録再生部７、制御部９、演算部１５、表示用文字列生成部１６、重畳部１８を記録再生装置１として適用した場合について述べたが、本発明はこれに限らず、記録再生装置、制御装置、演算装置、表示用文字列生成装置、重畳装置等のそれぞれ独立の装置を統合した記録再生システムであっても良く、例えば外部から有線または無線で接続されるようにしても良く、この他種々の接続形態で接続するようにしてもよい。
【０１２０】
さらに上述の実施の形態においては、記録ボタン、再生ボタン及び停止ボタン等の他に、各種設定を行うためのメニューボタン、メニュー選択用のジョグレバー及び後述する複数の映像演算用ボタン等を有する操作部８を設けた場合について述べたが、本発明はこれに限らず、記録を行いながら再生を行なう記録再生ボタンを設けるようにしても良い。これにより、立体視部分を収録中にユーザに目視確認させながら記録することができる。
【０１２１】
さらに上述の実施の形態においては、第１の映像復号化データＤ８を『Ａ』、第２の映像復号化データＤ９を『Ｂ』とし、上述の（１）式を用いて演算した場合について述べたが、本発明はこれに限らず、例えば、次式
【０１２２】
【数７】
2006261960.tif 000009
【０１２３】
となるように演算するようにしても良く、この他種々の演算方法において複数系統の映像データを演算するようにしても良い。ここで、ｆ（Ａ，Ｂ）は、『Ａ』と『Ｂ』との２変数の関数を示し、ＡａｎｄＢは、Ａ及びＢの全画面をを同時に出力するということを示している。すなわち、上述の（７）式を用いて演算することにより、図１６に示すように、この場合第１の重畳映像Ｍ１Ａと第２の重畳映像Ｍ１Ｂとを切り換えるのではなく、第１の重畳映像Ｍ１Ａと第２の重畳映像Ｍ１Ｂとを同時に第３の表示部２０に表示させることもできる。
【０１２４】
さらに上述の実施の形態においては、第１の映像復号化データＤ８を『Ａ』、第２の映像復号化データＤ９を『Ｂ』とし、第３の表示部２０の横方向の画面長さを『Ｍ』、第１の映像復号化データＤ８と第２の映像復号化データＤ９との横方向の区切り位置を『ｍ』、横方向の位置座標を『ｘ』とし、上述の（３）式を用いて演算した場合について述べたが、本発明はこれに限らず、第３の表示部２０の縦方向の画面長さを『Ｈ』、第１の映像復号化データＤ８と第２の映像復号化データＤ９との縦方向の区切り位置を『ｈ』、縦方向の位置座標を『ｙ』とすると、例えば、次式
【０１２５】
【数８】
2006261960.tif 000010
【０１２６】
となるように演算するようにしても良く、この他種々の演算方法において複数系統の映像データを演算するようにしても良い。すなわち、上述の（８）式を用いて演算することにより、図１７に示すように、この場合第１の重畳映像Ｍ１Ａの左側部分と第２の重畳映像Ｍ１Ｂの右側部分とを同時に表示させるのではなく、第１の重畳映像Ｍ１Ａの上側部分と第２の重畳映像Ｍ１Ｂの下側部分とを同時に表示させることもできる。
【０１２７】
さらに上述の実施の形態においては、記録媒体４を単一の磁気ヘッド７Ｄを介して磁気テープに記録した場合について述べたが、本発明はこれに限らず、例えば光ディスク、光磁気ディスク、半導体メモリ、磁気ディスク等の種々の記録媒体に適用することができる。
【０１２８】
さらに上述の実施の形態においては、一連の処理をそれぞれの機能を有するハードウェアにより実行させた場合について述べたが、本発明はこれに限らず、ソフトウェアにより実行させるようにしても良い。このとき、一連の処理をソフトウェアにより実行させる場合には、そのソフトウェアを構成するプログラムが専用のハードウェアに組み込まれているコンピュータに対して、各種プログラムをインストールすることで各種の機能を実行することが可能となり、汎用のパーソナルコンピュータなどに記録媒体からインストールされる。そしてこの記録媒体は、例えば光ディスク、光磁気ディスク、半導体メモリ、磁気ディスク等の種々の記録媒体を含むことは言うまでもない。また汎用のパーソナルコンピュータなどに例えばインターネット等のネットワークを介してダウンロードすることによって、各種プログラムをインストールするようにしても良い。
【０１２９】
さらに上述の実施の形態においては、記録再生手段としての記録再生部７と、演算手段でなる演算部１５及びルックアップテーブル１６と、重畳手段としての表示用文字列生成部１７及び重畳部１８とによって記録再生装置及び立体映像視覚効果確認装置としての記録再生装置１を構成した場合について述べたが、本発明はこれに限らず、この他種々の構成でなる記録再生手段と、演算手段と、重畳手段とによって記録再生装置を構成するようにしても良い。
【産業上の利用可能性】
【０１３０】
本発明は、単一の磁気ヘッドを介して磁気テープに記録する記録記録再生装置のほか、この他種々の記録媒体に記録する記録再生装置に適用することができる。
【図面の簡単な説明】
【０１３１】
【図１】本実施の形態による記録再生装置の構成を示す略線図である。
【図２】記録再生部における記録再生処理の説明に供する概念図である。
【図３】出力切換制御処理手順を示すフローチャートである。
【図４】出力切換制御処理時の第３の表示部での表示の説明に供する概念図である。
【図５】出力切換制御処理時の表示切換の説明に供する概念図である。
【図６】ワイプ制御処理手順を示すフローチャートである。
【図７】ワイプ制御処理時の第３の表示部での表示の説明に供する概念図である。
【図８】ワイプ制御処理時のカーソル移動の説明に供する概念図である。
【図９】立体映像視覚効果確認制御処理手順を示すフローチャートである。
【図１０】立体映像視覚効果確認制御処理時の左眼視映像の説明に供する概念図である。
【図１１】立体映像視覚効果確認制御処理時の通常視映像の説明に供する概念図である。
【図１２】立体映像視覚効果確認制御処理時の右眼視映像の説明に供する概念図である。
【図１３】立体映像視覚効果確認制御処理時の両眼視差分映像の説明に供する概念図である。
【図１４】立体映像視覚効果確認制御処理時の両眼視差分映像の説明に供する概念図である。
【図１５】立体映像視覚効果確認制御処理時の第３の表示部での表示の説明に供する概念図である。
【図１６】他の形態による第３の表示部での表示の説明に供する概念図である。
【図１７】他の形態による第３の表示部での表示の説明に供する概念図である。
【符号の説明】
【０１３２】
１……記録再生装置、２……第１の撮像部、３……第２の撮像部、４……記録媒体、７……記録再生部、８……操作部、９……制御部、１５……演算部、１６……ルックアップテーブル、１７……表示用文字列生成部、１８……重畳部、２０……第３の表示部、Ｃ１……第１の映像表示用文字列、Ｃ２……出力切換表示用文字列、Ｃ３……第２の映像表示用文字列、Ｃ４……カーソル、Ｃ５……ワイプ表示用文字列、Ｃ６……立体映像視覚効果確認表示用文字列、Ｍ１……重畳演算映像、Ｍ１Ａ……第１の重畳映像、Ｍ１Ｂ……第２の重畳映像、Ｍ２……左眼視映像、Ｍ３……通常視映像、Ｍ４……右眼視映像、Ｍ５……合成映像、Ｍ６……変換映像、Ｍ７……立体視確認映像、Ｐ１……白色部分、Ｐ２……第１のハッチング部分、Ｐ３……第２のハッチング部分、Ｐ４……第３のハッチング部分。
【図１】
2006261960.tif 000011
【図２】
2006261960.tif 000012
【図３】
2006261960.tif 000013
【図４】
2006261960.tif 000014
【図５】
2006261960.tif 000015
【図６】
2006261960.tif 000016
【図７】
2006261960.tif 000017
【図８】
2006261960.tif 000018
【図９】
2006261960.tif 000019
【図１０】
2006261960.tif 000020
【図１１】
2006261960.tif 000021
【図１２】
2006261960.tif 000022
【図１３】
2006261960.tif 000023
【図１４】
2006261960.tif 000024
【図１５】
2006261960.tif 000025
【図１６】
2006261960.tif 000026
【図１７】
2006261960.tif 000027